(57)【要約】      （修正有）【課題】様様な環境下であっても、視覚特性がよくコントラストが高い表示器の駆動制御が可能な撮影情報表示装置および、有機ＥＬで消費する消費電力を抑制し、また点灯寿命の劣化を抑制することが可能なカメラの撮影情報表示装置を有するカメラシステムを提供する。【解決手段】操作手段と、第１の表示器と第２の表示器を重ね合わせて構成した表示器と、表示制御手段と、第１の表示制御手段を制御するための第１のタイマー時間を有する第１のタイマーと第２の表示制御手段を制御するための第２のタイマー時間を有し、第１のタイマー時間が経過後第１の表示器を消灯させ、第２のタイマーを駆動するとともに、第２のタイマー時間が経過後第２の表示器を消灯させる制御手段と、を有することを特徴としたカメラシステム。【選択図】図１
2006129165.tif 000002
【特許請求の範囲】
【請求項１】
操作手段と、
第１の表示器と第２の表示器を重ね合わせて構成した表示器と、
第１の表示器を駆動する第１の表示制御手段と、第２の表示器を駆動する第２の表示制御手段と、
第１の表示制御手段を制御するための第１のタイマー時間を有する第１のタイマーと第２の表示制御手段を制御するための第２のタイマー時間を有する第２のタイマーと、
前記操作手段に応答して
前記第１のタイマーを駆動するとともに前記第１の表示制御手段を制御することにより
前記第１の表示器を駆動し前記第１のタイマー時間が経過後前記第１の表示器を消灯させ
前記第１のタイマー時間が経過した後に、
前記第２のタイマーを駆動するとともに前記第２の表示制御手段を制御することにより
前記第２の表示器を駆動し前記第２のタイマー時間が経過後前記第２の表示器を消灯させる制御手段と、
を有することを特徴としたカメラシステム。
【請求項２】
操作手段と、
第１の表示器と第２の表示器を重ね合わせて構成した表示器と、
第１の表示器を駆動する第１の表示制御手段と、第２の表示器を駆動する第２の表示制御手段と、
第１の表示制御手段を制御するための第１のタイマー時間を有する第１のタイマーと第２の表示制御手段を制御するための第２のタイマー時間を有する第２のタイマーと、
前記操作手段に応答して前記第１のタイマーを駆動するとともに
前記第１の表示制御手段を制御することにより前記第１の表示器を駆動し前記第１のタイマー時間が経過後前記第１の表示器を消灯させ、
前記第１のタイマーを駆動するとほぼ同時に前記第２のタイマーを駆動するとともに、
前記第２の表示制御手段を制御することにより前記第２の表示器を駆動し前記第２のタイマー時間が経過後前記第２の表示器を消灯させる制御手段と、
を有することを特徴としたカメラシステム。
【請求項３】
操作手段と、
第１の表示器と第２の表示器を重ね合わせて構成した表示器と、
第１の表示器を駆動する第１の表示制御手段と、第２の表示器を駆動する第２の表示制御手段と、
第１の表示制御手段を制御するための第１のタイマー時間を有する第１のタイマーと第２の表示制御手段を制御するための第２のタイマー時間を有する第２のタイマーと、
前記操作手段に応答して前記第２のタイマーを駆動するとともに、
前記第２の表示制御手段を制御することにより前記第２の表示器を駆動し前記第２のタイマー時間が経過後前記第２の表示器を消灯させ、
前記第２の表示制御手段を駆動開始後、所定時間経過した後、
前記第１のタイマーを駆動するとともに
前記第１の表示制御手段を制御することにより前記第１の表示器を駆動し前記第１のタイマー時間が経過後前記第１の表示器を消灯させる制御手段を有することを特徴としたカメラシステム。
【請求項４】
前記第２の表示器は、文字情報または絵情報の輪郭部を表示し、かつ前記第１の表示器は、文字情報または絵情報の中心部形状を表示することを特徴とした表示制御手段を有する前記請求項１乃至３いずれか記載のカメラシステム。
【請求項５】
前記第１のタイマー時間は、前記第２のタイマー時間より短いことを特徴とする前記請求項１乃至４いずれかに記載のカメラシステム。
【請求項６】
前記第１のタイマー時間および、前記第２のタイマー時間は任意に設定可能な設定手段を有することを特徴とした前記請求項１乃至４いずれかに記載のカメラシステム。
【請求項７】
前記第１の表示器は直流電圧で駆動し、前記第２の表示器は交流電圧で駆動することを特徴とした前記請求項１乃至６いずれかに記載のカメラシステム。
【請求項８】
前記第１の表示器は有機ＥＬであることを特徴とした前記請求項１乃至７いずれかに記載のカメラシステム。
【請求項９】
前記第２の表示器はＬＣＤであることを特徴とした前記請求項１乃至８いずれかに記載のカメラシステム。
【請求項１０】
被写界の輝度を測光する測光手段を有し、外光の明るさに応じて、前記第１のタイマー時間および、第２のタイマー時間を制御する制御手段を有することを特徴とした前記請求項１乃至９いずれかに記載のカメラシステム。
【発明の詳細な説明】
【技術分野】
【０００１】
本発明は、撮影情報表示装置をもつカメラシステムに関する。
【背景技術】
【０００２】
従来、カメラの撮影情報を表示する手段として、ＬＣＤ表示器および有機ＥＬディスプレイが知られている。
【０００３】
ＬＣＤを表示器とした場合の特徴は、低コストで消費電力が少なく点灯寿命が長い、常温環境や室内照明のもとでコントラストを得ることができるというメリットがある。
【０００４】
有機ＥＬ表示器を使用した場合の特徴は、自発光型でコントラストが高く視角依存性がない点で優れている。また有機材料の選択によりカラー化が可能である。しかも高速応答が可能である上に、使用可能な温度範囲が広いというメリットがある。
【０００５】
単純マトリクスによる半透過型ＬＣＤの構造を図２に示す。図２において２枚のパネルに、Ｘ軸方向、Ｙ軸方向にそれぞれ平行な電極を配置しており、Ｘ軸に平行な電極をＸ電極、Ｙ軸に平行な電極をＹ電極とする。
【０００６】
この２枚のパネル間に偏光板と液晶層を配置する。
【０００７】
Ｘ電極およびＹ電極に交流電圧を印加しない状態では、Ｚ軸方向に光線を通過する。
【０００８】
一方、Ｘ電極およびＹ電極に交流電圧を印加すると、偏光板の方向に従い、Ｚ軸方向に光線を遮断する。
【０００９】
以上により、Ｘ電極およびＹ電極間に交流電圧を制御することにより電極間に配置された液晶を点灯制御もしくは消灯制御を行うことができる。
【００１０】
次に、単純マトリクスによる有機ＥＬディスプレイの構造を図３に示す。
【００１１】
図３において基材上に金属電極、有機蛍光体薄膜、有機正孔輸送層、ＩＴＯ透明電極、ガラス基板、を配置しており、ｘ軸方向、ｙ軸方向にそれぞれ平行に金属電極とＩＴＯ透明電極を配置している。
【００１２】
ｘ軸に平行な金属電極をｘ電極、ｙ軸に平行なＩＴＯ透明電極をｙ電極とする。
【００１３】
ｘ電極およびｙ電極に直流電圧を印加しない状態では、発光しない。
【００１４】
一方、ｘ電極およびｙ電極に直流電圧を印加すると、Ｚ軸方向に発光する。
【００１５】
以上により、ｘ電極およびｙ電極間に直流電圧を制御することにより電極間に配置された有機ＥＬを点灯制御もしくは消灯制御を行うことができる。
【００１６】
特許文献１では有機ＥＬを使用した表示器に関し、所定の文字情報または絵情報の輪郭部分のみを発光領域とし、その他の部分を非発光領域とすることにより、発光面積を減少させ消費電力を抑制する技術が開示されている。
【特許文献１】特開平２０００−２５０４４３号公報
【発明の開示】
【発明が解決しようとする課題】
【００１７】
しかしながら、ＬＣＤを使用した従来の表示器は、例えば日中、太陽光線の下では十分なコントラストが得られず視認性が低下するという問題、および低温時に応答性が劣化するという問題がある。
【００１８】
また、有機ＥＬを使用した従来の表示器は、点灯寿命が限られるという問題、および、消費電力が大きく、電池消耗が著しくなるため長時間の表示駆動に適さないという問題がある。
【００１９】
とくにカメラなど携帯して使用される機器は駆動電源が電池であるため、使用可能な電力が限られており、消費電力をいかに低くするかが技術的課題である。
【００２０】
本発明は、上記問題に鑑みて成されたもので、有機ＥＬとＬＣＤを上下に重ね合わせて構成した表示器を有するカメラであって、撮影者がカメラを操作した後、一定時間を有機ＥＬの表示器で撮影情報を表示し、その後表示器を有機ＥＬからＬＣＤに切替え、同一の撮影情報を表示することで、目的とするところは、様様な環境下であっても、視覚特性がよくコントラストが高い表示器の駆動制御が可能な撮影情報表示装置および、点灯タイマー経過後有機ＥＬを消灯すると同時にＬＣＤ駆動に切替えることにより、有機ＥＬで消費する消費電力を抑制し、また点灯寿命の劣化を抑制することが可能なカメラの撮影情報表示装置を有するカメラシステムを提供することである。
【課題を解決するための手段】
【００２１】
上記目的を達成するために、本発明の第１のカメラシステムは、操作手段と、有機ＥＬディスプレイとＬＣＤを重ね合わせて構成した表示器と、有機ＥＬディスプレイを駆動する液晶コントローラとｘドライバおよびｙドライバ、ＬＣＤを駆動する液晶コントローラとＸドライバおよびＹドライバ、と表示制御するためのタイマー時間を有するタイマー回路と、カメラの操作手段に応答して、タイマーを駆動するとともに有機ＥＬディスプレイを駆動し、有機ＥＬタイマー時間が経過後、有機ＥＬディスプレイを消灯するとともに、ＬＣＤに切替えて、ＬＣＤを駆動し次のタイマー時間が経過後消灯させる制御装置と、を有するものである。
【００２２】
本発明の第２のカメラシステムは、操作手段と、有機ＥＬディスプレイとＬＣＤを重ね合わせて構成した表示器と、有機ＥＬディスプレイを駆動する液晶コントローラとｘドライバおよびｙドライバ、ＬＣＤを駆動する液晶コントローラとＸドライバおよびＹドライバと、表示制御するためのタイマー時間を有するタイマー回路と、カメラの操作手段に応答して、タイマーを駆動するとともに有機ＥＬディスプレイとＬＣＤをほぼ同時に駆動し、有機ＥＬタイマー時間が経過後、有機ＥＬディスプレイを消灯し、ＬＣＤのみを継続して駆動し次のタイマー時間が経過後消灯させる制御装置と、を有するものである。
【００２３】
本発明の第３のカメラシステムは、操作手段と、有機ＥＬディスプレイとＬＣＤを重ね合わせて構成した表示器と、有機ＥＬディスプレイを駆動する液晶コントローラとｘドライバおよびｙドライバ、ＬＣＤを駆動する液晶コントローラとＸドライバおよびＹドライバと、表示制御するためのタイマー時間を有するタイマー回路と、カメラの操作手段に応答して、タイマーを駆動するとともにＬＣＤを先に駆動し、ＬＣＤに続いて有機ＥＬを駆動し有機ＥＬタイマー時間が経過後、有機ＥＬディスプレイを消灯し、ＬＣＤのみを継続して駆動し次のタイマー時間が経過後消灯させる制御装置と、を有するものである。
【００２４】
また、本発明のカメラシステムは、ＬＣＤに表示させる内容は、文字情報または絵情報の輪郭部であり、かつ有機ＥＬディスプレイに表示させる内容は、文字情報または絵情報の中心部形状を表示する。
【００２５】
また、本発明のカメラシステムは、タイマー回路（有機ＥＬタイマー時間とＬＣＤタイマー時間）に関するもので、有機ＥＬタイマー時間は、ＬＣＤタイマー時間より短いことを特徴とする。
【００２６】
また、本発明のカメラシステムは、タイマー回路（有機ＥＬタイマー時間とＬＣＤタイマー時間）に関するもので、有機ＥＬタイマー時間および、ＬＣＤタイマー時間は任意に設定可能な設定手段を有する。
【００２７】
また、本発明のカメラシステムは、被写界の輝度を測光する測光手段を有し、外光の明るさに応じて、有機ＥＬタイマー時間およびＬＣＤタイマー時間を制御するものである。
【発明の効果】
【００２８】
請求項１〜１０の発明によれば、有機ＥＬディスプレイと、ＬＣＤを上下に重ね合わせて表示制御をする表示器を有するカメラシステムにおいて、有機ＥＬとＬＣＤを両方調和のとれた表示制御を行うことが可能であり、有機ＥＬ点灯時間をＬＣＤ点灯時間より短くすることが可能であり、有機ＥＬを長時間使用した場合よりも消費電力を抑制することできる。
【００２９】
また、ＬＣＤを使用した場合よりも低温時の応答性や日中の太陽光線によるコントラスト低下に対し、有機ＥＬの特性を生かして応答性がよく、コントラストが高い表示装置が得られる点で優れており、様様な環境において優れた表示装置を有するカメラシステムを提供することができる。
【発明を実施するための最良の形態】
【００３０】
以下本発明を実施するための最良の形態を、実施例により詳しく説明する。
【実施例】
【００３１】
以下、図面を参照して本発明の実施例について説明する。
【００３２】
図１は本発明を一眼レフレックスカメラに適用して実施した電気回路のブロック図である。
【００３３】
同図において、全体の制御を司る中央演算処理部であるカメラマイコン１００はワンチップマイクロコンピュータなどにより構成されている。
【００３４】
カメラマイコン１００は、発振器１０１で作られるクロックをもとに内部の動作が行われる。
【００３５】
記憶手段としてのＥＥＰＲＯＭ１００ｂは、フィルムカウンタその他の撮影情報を記憶可能である。１００ｃのＡ／Ｄ（アナログ−デジタル変換器）は焦点検出回路１０４、測光回路１０６からのアナログ信号をＡ／Ｄ変換し、カメラマイコン１００はこのＡ／Ｄ値を信号処理することにより各種の動作を行う。カメラマイコン１００には、焦点検出回路１０４、調光回路１０５、測光回路１０６、シャッター制御回路１０７、モーター制御回路１０８、フィルム走行検知回路１０９、スイッチセンス回路１１０、液晶コントローラ１１１が接続されている。
【００３６】
またカメラマイコン１００はタイマー手段としてのタイマー回路１２０、およびタイマー回路１２１を内蔵しており、タイマー回路１２０、およびタイマー回路１２１は、有機ＥＬを駆動する駆動時間とＬＣＤを点灯させる点灯時間を制御するタイマーである。
【００３７】
液晶コントローラ１１１はファインダー内ＬＣＤ２４と有機ＥＬディスプレイ１１７、ＬＣＤ１１４の表示を制御するｘドライバ１１５、ｙドライバ１１６、Ｘドライバ１１２、Ｙドライバ１１３に接続され、カメラマイコン１００からの信号に応じて制御している。
【００３８】
また撮影レンズ内に配置されたレンズ制御回路としてのレンズマイコン１２とはマウント接点群１０を介して信号の伝達がなされ、フラッシュ装置とはフラッシュ接点群２２を介してフラッシュ装置内のフラッシュマイコンと信号の伝達がされる。
【００３９】
焦点検出回路１０４はカメラマイコン１００の信号に従い、公知の焦点検出素子である不図示のＣＣＤラインセンサーの蓄積制御と読み出し制御を行い、各画素の情報をカメラマイコン１００に伝達する。カメラマイコン１００はこの画素情報をＡ／Ｄ変換し既知の位相差検出法により撮影画面内の被写体の焦点状態を検出する。カメラマイコン１００は焦点検出結果に応じてレンズマイコン１２と信号のやりとりを行うことにより、焦点調節機構を駆動する。
【００４０】
測光回路１０６は被写体の輝度信号として不図示の光電センサからの出力をカメラマイコン１００に出力する。
【００４１】
カメラマイコン１００は、被写体の輝度信号をＡ／Ｄ変換し、撮影の露出の調節のための絞り値の演算とシャッタースピードの演算を行う。
【００４２】
シャッター制御回路１０７はカメラマイコン１００からの信号に従って、フォーカルプレーンシャッターを構成するシャッター先幕駆動マグネットＭＧ−１および、シャッター後幕駆動マグネットＭＧ−２を走行させ、感光部材への露出制御を行う。モーター制御回路１０８は、カメラマイコン１００からの信号に従って、モーターを制御することにより、主ミラーのアップダウンおよびシャッターのチャージ、そしてフィルムの給送を行う。
【００４３】
フィルム走行検知回路１０９は、フィルムの給送時にフィルム１駒分を巻き上げたかを検知しカメラマイコン１００に給送信号を伝達する。
【００４４】
ＳＷ１は不図示のレリーズ釦の第１ストロークでＯＮするスイッチであり、ＳＷ１をＯＮすると測光制御、焦点検出制御を開始する。
【００４５】
ＳＷ２は不図示のレリーズ釦の第２ストロークでＯＮするスイッチであり、露光動作を開始するスイッチとなる。
【００４６】
ＳＷ＿ＴＭｍｏｄｅは、タイマー時間を選択可能なモードへ移行するスイッチとなる。
【００４７】
ＳＷ＿ｓｅｌｅｃｔは、タイマー時間を選択可能なモード時に、タイマー時間を選択するスイッチとなる。
【００４８】
ＳＷ１、ＳＷ２、ＳＷ＿ｓｅｌｅｃｔ、ＳＷ＿ＴＭｍｏｄｅおよびその他不図示のカメラの操作部材からの信号はスイッチセンス回路１１０が検知し、カメラマイコン１００に伝達する。
【００４９】
ＳＷＸはシャッター先幕の走行を完了するとＯＮするスイッチであり、ＳＷＸがＯＮするとフラッシュが発光を開始する。
【００５０】
このときＳＷＸがＯＮすると同時に、調光回路１０５が作動開始し調光センサの駆動を開始する。
【００５１】
次にカメラマイコン１００のフラッシュ装置とレンズのインタフェース端子の説明を行う。
【００５２】
ＦＣＫはフラッシュ装置とのシリアル通信を行うための同期クロックの出力端子、ＦＤＯはフラッシュ装置とのシリアル通信を行うためのシリアルデータ出力端子、ＦＤＩはフラッシュ装置とのシリアル通信を行うためのシリアルデータ入力端子、ＦＣＳはフラッシュ装置の充電完了を検出するための入力端子、ＬＣＫはレンズとのシリアル通信を行うための同期クロックの出力端子、ＬＤＯはレンズとのシリアル通信を行うためのシリアルデータ出力端子、ＬＤＩはレンズとのシリアル通信を行うためのシリアルデータ入力端子である。
【００５３】
次にレンズの構成について説明を行う。カメラ本体１とレンズはレンズマウント接点群１０を介して相互に電気的に接続される。このレンズマウント接点群１０はレンズのフォーカス駆動用モーター１６および、絞り駆動用モーター１７の電源用接点であるＬ０、レンズマイコン１２の電源用接点であるＬ１、公知のシリアルデータ通信を行うための同期クロック用接点Ｌ２、カメラからレンズへのリアルデータを送信するためのシリアルデータ用接点Ｌ３、レンズからカメラへシリアルデータを送信するためのシリアルデータ用接点Ｌ４、前記モーター用電源に対するグランド接点であるＬ５、前記レンズマイコン１２用電源に対するグランド接点であるＬ６で構成されている。
【００５４】
レンズマイコン１２はこれらレンズマウント接点群１０を介してカメラマイコン１００と接続され、１群レンズ駆動モーター１６およびレンズ絞り駆動モーター１７を動作させ、レンズの焦点調節と絞り制御を行っている。３５、３６は光検出器とパルス板であり、レンズマイコン１２がパルス数を計数することにより１群レンズの位置情報を得ることができ、焦点調節を行うことができる。
【００５５】
図６は第１の実施例のタイミングチャートを表す。
【００５６】
ＳＷ１を押すとカメラマイコン１００は、初期設定を行い、シャッター制御値Ｔｖ、レンズ絞りＡｖ、測光回路１０６による測光処理、および焦点検出回路１０４による焦点検出処理を行う。ここで得られたカメラの撮影情報を液晶コントローラ１１１へ送信する。
【００５７】
カメラマイコン１００は、有機ＥＬ点灯タイマー１２０を作動し、液晶コントローラ１１１を制御して、ｘドライバ１１５、ｙドライバ１１６を駆動することにより、有機ＥＬディスプレイ１１７を点灯することにより、上記で得られたカメラの撮影情報を有機ＥＬディスプレイ１１７に表示する。
【００５８】
有機ＥＬ点灯タイマー１２０のタイマー時間が経過した経過した時点で、液晶コントローラ１１１を制御して、ｘドライバ１１５、ｙドライバ１１６をオフへ駆動することにより、有機ＥＬディスプレイ１１７を消灯する。
【００５９】
また、このときカメラマイコン１００は、ＬＣＤ点灯タイマー１２１を作動し、液晶コントローラ１１１を制御して、Ｘドライバ１１２、Ｙドライバ１１３を駆動することにより、ＬＣＤ１１４を点灯することにより、上記で得られたカメラの撮影情報をＬＣＤ１１４に表示する。
【００６０】
ＬＣＤ点灯タイマー１２１のタイマー時間が経過した経過した時点で、液晶コントローラ１１１を制御して、Ｘドライバ１１２、Ｙドライバ１１３をオフへ駆動することにより、ＬＣＤ１１４を消灯する。
【００６１】
以上が、第１の実施例に関する説明である。
【００６２】
次に、図７は第２の実施例のタイミングチャートを表す。
【００６３】
ＳＷ１を押すとカメラマイコン１００は、初期設定を行い、シャッター制御値Ｔｖ、レンズ絞りＡｖ、測光回路１０６による測光処理、および焦点検出回路１０４による焦点検出処理を行う。ここで得られたカメラの撮影情報を液晶コントローラ１１１へ送信する。
【００６４】
カメラマイコン１００は、有機ＥＬ点灯タイマー１２０とＬＣＤ点灯タイマー１２１をほぼ同時に作動し、液晶コントローラ１１１を制御して、ｘドライバ１１５、ｙドライバ１１６および、Ｘドライバ１１２、Ｙドライバ１１３を駆動することにより、有機ＥＬディスプレイ１１７とＬＣＤ１１４を点灯することにより、上記で得られたカメラの撮影情報を有機ＥＬディスプレイ１１７とＬＣＤ１１４に表示する。
【００６５】
有機ＥＬ点灯タイマー１２０のタイマー時間が経過した経過した時点で、液晶コントローラ１１１を制御して、ｘドライバ１１５、ｙドライバ１１６をオフへ駆動することにより、有機ＥＬディスプレイ１１７を消灯する。
【００６６】
さらに、ＬＣＤ点灯タイマー１２１のタイマー時間が経過した時点で、液晶コントローラ１１１を制御して、Ｘドライバ１１２、Ｙドライバ１１３をオフへ駆動することにより、ＬＣＤ１１４を消灯する。
【００６７】
有機ＥＬ点灯タイマー１２０のタイマー時間は、ＬＣＤ点灯タイマー１２１のタイマー時間より短い時間となるよう制御している。
【００６８】
以上が、第２の実施例に関する説明である。
【００６９】
次に、図８は第３の実施例のタイミングチャートを表す。
【００７０】
ＳＷ１を押すとカメラマイコン１００は、初期設定を行い、シャッター制御値Ｔｖ、レンズ絞りＡｖ、測光回路１０６による測光処理、および焦点検出回路１０４による焦点検出処理を行う。ここで得られたカメラの撮影情報を液晶コントローラ１１１へ送信する。
【００７１】
カメラマイコン１００は、ＬＣＤ点灯タイマー１２１を作動し、液晶コントローラ１１１を制御して、Ｘドライバ１１２、Ｙドライバ１１３を駆動することにより、ＬＣＤ１１４を点灯することにより、上記で得られたカメラの撮影情報をＬＣＤ１１４に表示する。
【００７２】
所定時間経過を待って、カメラマイコン１００は、有機ＥＬ点灯タイマー１２０を作動し、液晶コントローラ１１１を制御して、ｘドライバ１１５、ｙドライバ１１６を駆動することにより、有機ＥＬディスプレイ１１７を点灯することにより、上記で得られたカメラの撮影情報を有機ＥＬディスプレイ１１７に表示する。
【００７３】
有機ＥＬ点灯タイマー１２０のタイマー時間が経過した経過した時点で、液晶コントローラ１１１を制御して、ｘドライバ１１５、ｙドライバ１１６をオフへ駆動することにより、有機ＥＬディスプレイ１１７を消灯する。
【００７４】
さらに、ＬＣＤ点灯タイマー１２１のタイマー時間が経過した経過した時点で、液晶コントローラ１１１を制御して、Ｘドライバ１１２、Ｙドライバ１１３をオフへ駆動することにより、ＬＣＤ１１４を消灯する。
【００７５】
有機ＥＬ点灯タイマー１２０のタイマー時間は、ＬＣＤ点灯タイマー１２１のタイマー時間より短い時間となるよう制御している。
【００７６】
以上が、第３の実施例に関する説明である。
【００７７】
次に、有機ＥＬの表示データとＬＣＤの表示データの表示の重ねあわせを説明する。
【００７８】
図４および図５は本発明の実施例における表示動作を説明するための図である。
【００７９】
図４に示すように、有機ＥＬの表示データとＬＣＤの表示データはｚ軸方向に重ね合わせて構成している。
【００８０】
同図では、数字の４を表示した場合を示している。
【００８１】
真上から見ると、有機ＥＬの表示データが内側に、ＬＣＤの表示データが外枠に見えるように、配置している。
【００８２】
カメラの撮影情報表示データに対し、同様の構成とするものである。
【００８３】
以上が、有機ＥＬの表示データとＬＣＤの表示データの表示の重ねあわせに関する説明である。
【００８４】
次に、測光値に応じて点灯タイマー時間を設定する実施例について説明する。
【００８５】
ＳＷ１を押し、スタートすると、カメラマイコン１００は測光値を測光センサから得る。
【００８６】
この測光値をＢｖとし、点灯時間ｔを次式により、Ｂｖ値を変数とした１次式で与えるものとする。
【００８７】
ｔ＝ｋ／Ｂｖ    （ｋ＝定数）
カメラの測光値が暗い環境下では、Ｂｖ値が小さくなるため有機ＥＬの点灯時間およびＬＣＤの点灯時間を増加させ、一方、カメラの測光値が明るい環境下では、Ｂｖ値が大きくなるため有機ＥＬの点灯時間およびＬＣＤの点灯時間を減少させることが、この式より満たすことができる。
【００８８】
これにより、測光値に応じた点灯タイマーを制御することができる。
【００８９】
次に、タイマー時間の設定手段について説明する。
【００９０】
図９は、本発明の実施例におけるフローチャートを示す図である。
【００９１】
同図において、カメラの操作手段を操作すると、ステップ＃２００から処理が開始され、ステップ＃２０１へ移行する。
【００９２】
ステップ＃２０１では、スイッチセンス回路１１０により、操作されたスイッチの判別が行われ、スイッチＳＷ＿ＴＭｍｏｄｅをオンしていれば、ステップ＃２０２へ移行しタイマー設定モード状態になるが、オフしていれば、ステップ＃２０６へ移行し処理を終了する。
【００９３】
ステップ＃２０２では、カメラマイコン１００はタイマー設定モード状態になり、タイマー設定値の初期値をＬＣＤ表示する。
【００９４】
続いてステップ＃２０３に移行し、スイッチＳＷ＿ｓｅｌｅｃｔをオンしていれば、ステップ＃２０４に移行し、タイマー設定値は、初期値に＋１加算される。オフしていれば、ステップ＃２０２へ移行しＬＣＤ表示上のタイマー設定値に変化は生じない。
【００９５】
またステップ＃２０２にて無操作時間が所定時間以上、経過したらステップ＃２０５に移行し、このタイマー設定値を記憶手段ＥＥＰＲＯＭ１００ｂに格納する。
【００９６】
ステップ＃２０６へ移行し処理を終了する。
【００９７】
以上により、タイマー時間の設定が可能となる。
【００９８】
（実施例との対応）
操作手段に対し、スイッチＳＷ１、ＳＷ２およびスイッチセンス回路１１０に相当し、
第１の表示器に対し、有機ＥＬディスプレイ１１７に相当し、
第２の表示器に対し、ＬＣＤパネル１１４に相当し、
第１の表示器と第２の表示器を重ね合わせて構成した表示器に対し、表示器１１８に相当し、
第１の表示制御手段に対し、液晶コントローラ１１１、ｘドライバ１１５、およびｙドライバ１１６に相当し、
第２の表示制御手段に対し、液晶コントローラ１１１、Ｘドライバ１１２、およびＹドライバ１１３に相当し、
タイマー時間を任意に設定可能な設定手段に対し、スイッチＳＷ＿ｓｅｌｅｃｔ、およびＳＷ＿ＴＭｍｏｄｅに相当し、
第１のタイマー時間に対し、タイマー回路１２０に相当し、
第２のタイマー時間に対し、タイマー回路１２１に相当し、
制御手段に対し、カメラマイコン１００に相当する。
【００９９】
以上が、本発明における実施例である。
【図面の簡単な説明】
【０１００】
【図１】本発明の実施例における電気回路のブロック図である。
【図２】ＬＣＤの構造を示す図である。
【図３】有機ＥＬの構成を示す図である。
【図４】本発明の実施例における表示動作を説明するための図である。
【図５】有機ＥＬとＬＣＤの構成を示す図である。
【図６】本発明の実施例における駆動タイミングを示す図である。
【図７】本発明の実施例における駆動タイミングを示す図である。
【図８】本発明の実施例における駆動タイミングを示す図である。
【図９】本発明の実施例におけるフローチャートを示す図である。
【符号の説明】
【０１０１】
１００  カメラマイコン
１１１  液晶コントローラ
１１２  Ｘドライバ
１１３  Ｙドライバ
１１４  ＬＣＤ
１１５  ｘドライバ
１１６  ｙドライバ
１１７  有機ＥＬディスプレイ
１２０  タイマー回路
１２１  タイマー回路
【図１】
2006129165.tif 000003
【図２】
2006129165.tif 000004
【図３】
2006129165.tif 000005
【図４】
2006129165.tif 000006
【図５】
2006129165.tif 000007
【図６】
2006129165.tif 000008
【図７】
2006129165.tif 000009
【図８】
2006129165.tif 000010
【図９】
2006129165.tif 000011